(57)【要約】【目的】チェーン駆動機構の高さや幅等の外寸を拡大せずに確実に駆動力を伝達可能にする。【構成】回転面となる円形の外周部を有し、物品の載置部を外周部よりも内側に有している回転台と、回転面に接して回転台を回転可能に支える支持ロールと、円形の外周部に沿って張られるチェーン並びにチェーンを掛回したチェーンホイールを有する回転駆動部を具備した反転装置において、チェーンにはリンクチェーン２１を用いるとともに、リンクチェーン２１の途中を交叉させてループ状にした交叉ループ部２２を設け、交叉部２５にてリンクチェーン２１が接触しないように駆動用チェーンホイール２４と従動用チェーンホイール２３とを軸方向にずらせて配置する。【選択図】        図１
2004189425.tif 000002
【特許請求の範囲】
【請求項１】
回転面となる円形の外周部を有し、物品の載置部を外周部よりも内側に有している回転台と、回転面に接して回転台を回転可能に支える支持ロールと、円形の外周部に沿って張られるチェーン並びにチェーンを掛回したチェーンホイールを有する回転駆動部を具備した反転装置において、チェーンにはリンクチェーンを用いるとともに、リンクチェーンの途中を交叉させてループ状にした交叉ループ部を設け、交叉部にてリンクチェーンが接触しないように駆動用チェーンホイールと従動用チェーンホイールとを軸方向にずらせて配置した構成を有する反転装置における駆動機構。
【発明の詳細な説明】
【０００１】
【発明の属する技術分野】
本発明は、回転面となる円形の外周部を有し、物品の載置部を外周部よりも内側に有している回転台と、回転面に接して回転台を回転可能に支える支持ロールと、円形の外周部に沿って張られるチェーン並びにチェーンを掛回したチェーンホイールを有する回転駆動部を具備した反転装置における駆動機構に関するものである。
【０００２】
【従来の技術】
この種の反転装置には、実公平４−４７１３６号に開示されたものがあり、その装置では図８（ａ）に示すように、回転台の外周に沿って張設したチェーンＶを空回り軸Ｘ、Ｘを用いて駆動軸Ｙに掛回する方法が取られていた。しかしこの方法では、駆動軸Ｙに高減速比のモーター軸を接続するには、スペース上の問題があり、前記考案のように側方配置とするとモーター軸が１個増すことになる。
【０００３】
これに対して、図８（ｂ）に示すように、空回り軸Ｘを用いて側方へチェーンＶを引き出した箇所に駆動軸Ｚを掛回した場合には前記図８（ａ）のような問題は解決されると見て良いが、チェーンＶの接近する箇所Ｗが生じたり、それを避けるために駆動軸Ｚを側方へ配置することによって、駆動部（モータ等）が外側に張り出すという問題を生ずる。
【０００４】
【発明が解決しようとする課題】
本発明は前記の点に着目してなされたものであり、その課題は、チェーン駆動機構の高さや幅等の外寸を拡大せずに確実に駆動力を伝達することができるようにすることである。
【０００５】
【課題を解決するための手段】
前記の課題を解決するために本発明は、チェーン並びにチェーンを掛回したチェーンホイールを有する回転駆動部を具備した反転装置において、チェーンにはリンクチェーンを用いるとともに、リンクチェーンの途中を交叉させてループ状にした交叉ループ部を設け、交叉部にてリンクチェーンが接触しないように駆動用チェーンホイールと従動用チェーンホイールとを軸方向にずらせて配置した構成を有するものとする、という手段を講じたものである。
【０００６】
反転装置は、回転面となる円筒状の外周部を有し、物品の載置部を外周よりも内側に有している回転台を具備しており、この回転台は、回転面に接する支持ロールによって回転可能に支えられている。チェーンはそのような回転台の円周状の外周部に沿って張られるものとする。この場合、図７（ａ）に示すように駆動軸１個で回転往復運動をさせることは理想であるが、Ｐ点での交叉接触を避ける点に無理があり、この方法は中々困難である。
【０００７】
そこで本発明では、図７（ｂ）に示すように駆動軸Ｄ１個に空回り軸Ｆ１個を組み合わせることによって、チェーンの交叉接触を避ける技術を開発し、目的を達成することができた。本発明では、従来用いられて来たローラーチェーンを廃してリンクチェーン（ｌｉｎｋ  ｃｈａｉｎ）を適用することを一つの条件とする。というのはリンクチェーンがチェーンの張設方向の傾斜に対して融通性を持っており、傾斜しても動力伝達に問題がなく、異音等も発生し難い上、強度も問題がないからであり、価格はより低廉といって良い。
【０００８】
このようなリンクチェーンの途中を交叉させてループ状にした交叉ループ部を設け、その交叉点にてリンクチェーンが接触しないようにするため、駆動用チェーンホイールと従動用チェーンホイールとを軸方向にずらせて配置し、駆動機構を構成する。この場合、一方のチェーンホイールを回転台の真下に回転面になるべく近付けて配置するとともに、他方のチェーンホイールを回転台下部で側方へ出ない位置に配置する。そこで他方のチェーンホイールを一方のチェーンホイールより上位に配置することが可能となるので、非常にコンパクトに構成することができる。
【０００９】
本発明に用いることができるリンクチェーンは、例えばチェーンブロック類に使用されるリンクチェーンが適しており、ＪＩＳ  Ｂ８８１６に規定されているチェーンスリング用チェーンが最適である。このリンクチェーンは、リンクチェーン用鎖車いわゆるチェーンホイールとともに使用される。
【００１０】
【発明の実施の形態】
以下、本発明の反転装置における駆動機構を図示の例を参照して説明する。図１は重量物を取り扱う反転装置１０の正面図であり、円形の外周部を回転面１１とし、外周部よりも内側に物品の載置部１２ａ、１２ｂを有する回転台１３と、回転面１１に接する支持ロール１４、１４によって回転台１３を回転可能に支える基台１５を有する。回転面１１と物品の載置部１２ａ、１２ｂとが交わる回転面の両端には停止部１６ａ、１６ｂがあり、基台１５に設けられている受け１７ａ、１７ｂに夫々が当たる範囲、図例では９０度の回転角だけ回転可能とされ、例えば一方の載置部１２ａに載せた物品を回転台１３の回転により他方の載置部１２ｂに移して向きを変更することができる。
【００１１】
回転駆動部２０は、円形の外周部に沿って張られる１条のリンクチェーン２１と、リンクチェーン２１を掛回した２個のチェーンホイール２３、２４を有し、リンクチェーン２１は、回転台１３の下部にて途中を交叉させループ状にした交叉ループ部２２を有していて、このループ部内に２個のチェーンホイール２３、２４を配置する構成を有している。一方の従動用チェーンホイール２３は回転台１３の中央に配置され、他方の駆動用チェーンホイール２４は回転台１３の下部で、従動用チェーンホイール２３の側方上部、かつ従動用チェーンホイール２３とは軸方向にずれた位置に配置され、交叉部２５にてリンクチェーン２１が接触しないように構成されている。図２、図３及び図４参照。
【００１２】
図５にはチェーンホイール２３、２４とリンクチェーン２１が示されている。リンクチェーン２１はＪＩＳＢ８８１６に規定されているものである。チェーンホイールは従動用も駆動用もリンクチェーン２１と噛み合う歯部については、同様の形状及び構造を有している。その形態は図５及び図６に示されており、図６（ａ）は駆動用、図６（ｂ）は従動用のチェーンホイールで、夫々横のリンクチェーン２１Ｈを収める浅凹部２６と縦のチェーンリンク２１Ｖを収める深凹部２７とが設けられている。２８はフランジ、２９はキー溝を示す。駆動用チェーンホイール２４は、動力装置である減速機３０の出力軸に結合されている。
【００１３】
このように本発明の反転装置１０に適用する駆動機構２０は、回転台１３の下部中央に従動用チェーンホイール２３のみ配置し、駆動用チェーンホイール２４は軸方向にずらせてリンクチェーン２１を傾斜状に掛回し、交叉ループ部２２を作り、交叉部２５で接触しない構成を取ることができる。リンクチェーン２１はＪＩＳで規定した構造強度を有し、在来のローラーチェーンと異なり溶接構造を持つとともに傾斜張設を可能にするので、部品点数も少なく構成も簡潔となる。
【００１４】
【発明の効果】
本発明は以上の如く構成されかつ作用するものであるから、チェーン駆動機構の高さや幅受の外寸を大型化することなく確実に伝達することができるものであり、特に１本のリンクチェーンを使用して交叉ループ部を作り、そこに駆動用チェーンホイールと従動用チェーンホイール各１個で構成されるため簡潔であり、在来のローラーチェーンでは実現できなかった構成を具体化することができるという効果を奏する。
【図面の簡単な説明】
【図１】本発明に係る駆動機構を適用した反転装置の正面図。
【図２】同上の基部の平面図。
【図３】同じく側面図。
【図４】（ａ）リンクチェーンの説明図。
（ｂ）図１のものの交叉ループ部を示す説明図。
【図５】本発明におけるチェーンホイールの断面図。
【図６】（ａ）駆動用チェーンホイールにおけるＡ−Ａ断面図。
（ｂ）駆動用チェーンホイールにおけるＢ−Ｂ断面図。
（ｃ）従動側チェーンホイールにおけるＣ−Ｃ断面図。
（ｄ）従動側チェーンホイールにおけるＤ−Ｄ断面図。
【図７】（ａ）本発明の駆動機構の説明のための例１を示す説明図。
（ｂ）本発明の駆動機構の説明のための例２を示す説明図。
【図８】（ａ）従来の駆動機構の例１を示す説明図。
（ｂ）従来の駆動機構の例２を示す説明図。
【符号の説明】
１０  反転装置
１１  回転面
１３  回転台
１４  支持ロール
２０  駆動機構
２１  リンクチェーン
２２  交叉ループ部
２３  従動用チェーンホイール
２４  駆動用チェーンホイール
２５  交叉部
【図１】
2004189425.tif 000003
【図２】
2004189425.tif 000004
【図３】
2004189425.tif 000005
【図４】
2004189425.tif 000006
【図５】
2004189425.tif 000007
【図６】
2004189425.tif 000008
【図７】
2004189425.tif 000009
【図８】
2004189425.tif 000010